(57)【要約】【課題】本発明は本体の底面にピクトグラムや表示文字を発光させて運転状態を視認させる表示部を設けた空気調和機の室内機において、室内空間から表示部を見上げた時に運転状態としてのピクトグラムや表示文字の視認性を向上させることである。【解決手段】室内空間の天井近傍の壁面に設置され、本体の底面に表示文字およびまたはピクトグラムを発光させて運転状態を表示する表示手段を備えた空気調和機の室内機において、前記表示文字およびまたは前記ピクトグラムは標準の形状の横寸法をＡとし、縦寸法をＢとした場合、横寸法は変えずに縦寸法のみを拡大して表わすものである。【選択図】図５
2012083018.tif 000002
【特許請求の範囲】
【請求項１】
室内空間の天井近傍の壁面に設置され、前面吸込口、上面吸込口および下部吹出口を備えた前面パネルと、熱交換器と送風ファンを備えたケーシングとで本体を構成し、前記本体の底面に設けた表示パネルに設けられた運転状態としての表示文字およびまたはピクトグラムを発光させて表示する表示手段を備えた空気調和機の室内機において、
前記表示文字およびまたは前記ピクトグラムは標準の形状の横寸法をＡとし、縦寸法をＢとした場合横寸法は変えずに縦寸法のみを拡大して表わしたことを特徴とする空気調和機の室内機。
【請求項２】
前記表示手段は、前記前面パネルの開口部を裏側から閉塞し、暗色の樹脂材料で成型された前記表示パネルと、前記表示パネルの背面に備え、前記表示文字およびまたは前記ピクトグラムを拡散印刷し、同拡散印刷の周囲を光が透過しないように暗色にて印刷を行った表示板と、ＬＥＤを備えた表示基板と、同表示基板の指示部と同ＬＥＤの光を同表示板に導く導光部を備えた表示基板ケースから構成されることを特徴とする請求項１に記載の空気調和機の室内機。
【請求項３】
前記表示パネルの裏面側には、前記表示文字およびまたは前記ピクトグラムの表示面に当接した部分を正面側に傾斜させた傾斜部を設けたことを特徴とする請求項１、２に記載の空気調和機の室内機。
【発明の詳細な説明】
【技術分野】
【０００１】
本発明は、壁掛け型空気調和機の室内機の表示部に関するものである。
【背景技術】
【０００２】
昨今、空気調和機の室内機は、設置する室内空間に調和するデザインが好まれている。そのため、本体色は、室内の壁紙に使われている白色やベージュ色などの明度の高い色が採用されている。また、形態においては、何処にでも取り付けられるようにコンパクトなサイズで奥行きを薄くし、さらに吸込桟や吹出口による凹凸や孔によって存在が目立つことで室内空間に違和感を与えることがないように、正面がフラットパネル状となり、吹出口は風向板で塞がれる形態のものが多くなってきている。
【０００３】
この空気調和機の室内機は、上面と前面上部に吸込口を備え、前面下部に吹出口を備え、内部に熱交換器と送風ファンを備えたユニット本体と、そのユニット本体の前面に装着され、前面の吸込口を開閉する前面パネルと、吹出口に取り付けられた風向板とで外郭が構成されている。運転時は、風向板が開くとともに、正面の前面パネルが駆動機構により前上方へ可動し、開口された前面の吸込口より空気を吸い込む。運転停止時は、前面パネルと風向板が閉じることで、凹凸の無いフラットな形状で、室内空間に調和するデザインが得られる。
表示においても、室内空間に調和させるために、通常は人の視野に入りにくい本体底面に凸状のＬＥＤ透過部を設けて、使用時にはＬＥＤ透過部が底面から若干突出していることと、ＬＥＤの発光色の違いで運転状態を認識させるものとなっている。（例えば特許文献１参照）
【先行技術文献】
【特許文献】
【０００４】
【特許文献１】特開２００５−１０６３９８号公報
【発明の概要】
【発明が解決しようとする課題】
【０００５】
しかし、発光色の違いで運転状態を使用者に伝える場合は、使用者が事前に発光色の意味を理解する必要があり、理解していない場合は、運転情報が伝わらないといった問題があり、また、ＬＥＤ透過部が底面から若干突出していて目立つことでデザイン性の低下を招いている。
【０００６】
そこで、運転状態を表した絵文字やピクトグラムを発光表示させることで運転状態を伝えるものがある。図５（ａ）に示すピクトグラムは、国際電気標準会議で決められたピクトグラムであり、aは運転／停止、ｂはタイマー運転、ｃはエコノミー運転を表わすものである。この表示を空気調和機に利用することにより空気調和機の使用者は表示を見るだけで運転状態を知ることができる。
さらに、言語別に表示部分の印刷を変える必要がなくなり、あらゆる地域に同一の空気調和機の提供が可能となりコストダウンにも繋がる。
【０００７】
しかし、空気調和機の室内機を天井近くの壁面に取付け、室内空間に調和させたるために通常は使用者の視界に入らないように室内機の本体底面に表示部を設けた場合、使用者の目線は斜め下方から見上げることになり、絵文字やピクトグラムの表示では上下がつぶれた状態で視認され、運転状態が伝わらないことになる。
【０００８】
本発明の課題は、本体の底面にピクトグラムや表示文字を発光させて運転状態を視認させる表示部を設けた空気調和機の室内機において、室内空間から表示部を見上げた時に運転状態としてのピクトグラムや表示文字の視認性を向上することにある。
【課題を解決するための手段】
【０００９】
上記目的を達成するために、請求項１に係る発明は、室内空間の天井近傍の壁面に設置され、前面吸込口、上面吸込口および下部吹出口を備えた前面パネルと、熱交換器と送風ファンを備えたケーシングとで本体を構成し、前記本体の底面に設けた表示パネルに設けられた運転状態としての表示文字およびまたはピクトグラムを発光させて表示する表示手段を備えた空気調和機の室内機において、
前記表示文字およびまたは前記ピクトグラムは標準の形状の横寸法をＡとし、縦寸法をＢとした場合横寸法は変えずに縦寸法のみを拡大して表わしたものである。
【００１０】
請求項２に係る発明は、前記表示手段は、前記前面パネルの開口部を裏側から閉塞し、暗色の樹脂材料で成型された前記表示パネルと、前記表示パネルの背面に備え、前記表示文字およびまたは前記ピクトグラムを拡散印刷し、同拡散印刷の周囲を光が透過しないように暗色にて印刷を行った表示板と、ＬＥＤを備えた表示基板と、同表示基板の指示部と同ＬＥＤの光を同表示板に導く導光部を備えた表示基板ケースから構成されるものである。
【００１１】
請求項３に係る発明は、前記表示パネルの裏面側には、前記表示文字およびまたは前記ピクトグラムの表示面に当接した部分を正面側に傾斜させた傾斜部を設けたものである。
【発明の効果】
【００１２】
請求項１に係る発明によれば、室内空間の天井近傍の壁面に設置され、本体の底面に設けた表示パネルにある表示文字およびまたはピクトグラムを発光させて運転状態を表示する表示手段を備えた空気調和機の室内機において、前記表示文字およびまたは前記ピクトグラムを、標準の形状の横寸法をＡとし、縦寸法をＢとした場合横寸法は変えずに縦寸法のみを拡大して表わすことにより、斜め下方から使用者が表示手段を見上げた場合に前記表示文字およびまたは前記ピクトグラムがつぶれることもなくなり正しい運転状態を知ることができるものである。
【００１３】
請求項２に係る発明によれば、ＬＥＤが発光しない時は暗色の樹脂材料で成型された前記表示パネルにより、表示板の前記表示文字およびまたは前記ピクトグラムが隠されるため、スッキリとした意匠になり、室内空間に調和するデザインが得られる。
【００１４】
請求項３に係る発明によれば、前記表示パネルの裏面側には、前記表示文字およびまたは前記ピクトグラムの表示面に当接した部分を正面側に傾斜させた傾斜部を設けたことで、より視認性を向上させることができる。
【図面の簡単な説明】
【００１５】
【図１】本発明の空気調和機の室内機の運転停止時の斜視図である。
【図２】本発明の空気調和機の室内機の運転時の斜視図である。
【図３】本発明の空気調和機の室内機の表示部の断面図である。
【図４】空気調和機と室内空間と使用者の関係を説明する図である。
【図５】本発明に使用されるピクトグラムの説明図であり、（a）は従来のピクトグラムであり、（ｂ）は本発明に使用されるピクトグラムである。
【図６】本発明に使用されるピクトグラムの拡大説明図である。
【図７】本発明の空気調和機の表示部を見る位置による見え方の違いの説明図である。
【図８】第２実施例に係る説明図であり、（ａ）、（ｂ）は従来の文字表示であり、（ｃ）、（ｄ）は本発明に使用される文字表示である。
【図９】第３実施例に係る表示部の断面図である。
【発明を実施するための形態】
【００１６】
以下、本発明を実施するための形態を、添付図面に基づいた実施例として詳細に説明する。
【実施例１】
【００１７】
図１、２に本発明の第１の実施例の空気調和機の室内機１の外観を示す。本実施例の空気調和機の室内機１は、上面吸込口１１および前面上部に前面吸込口１２を備え、前面下部に吹出口１３を備えた前面パネル２０と、熱交換器と送風ファンを備えたケーシング１４とで本体を構成する。吹出口１３には、同吹出口１３を開閉し、吹出空気を制御する上風向板２２と下風向板２３が備えられている。
実施例１の室内機１は凹凸が目立たなくスッキリとした意匠を得るために、全体に薄型の矩形形状であり、特に室内空間の上方に設置されるため、使用者が下から見上げた場合に、本体を厚く見せず吹出口が視界に入らないように、下端の奥行きは上端の奥行きよりも狭く構成している。
本体底面部には、下風向板２３とその右横に表示部３０とリモコンからの信号を受信して空気調和機を制御する受光部５０が配置されている。前面パネル２０の正面部には、吸込口や吹出口が使用者の視界に入って美観を損ねることのないように、下部は上風向板２２に重合し、下端部は底面の一部を構成し、下風向板２３の手前まで伸ばしたフラットな一枚板形状の開閉パネル２１が装着される。
これらにより、運転停止時は、図１に示すように、使用者が室内機１を見上げた時の視界に開閉パネル２１と底面の一部だけが視認されるようになり、凹凸の無いフラットな形状で、室内空間に調和したデザインの印象を与えることができる。
【００１８】
また運転時は、図２に示すように開閉パネル２１は前面パネルと連結したアーム２４と駆動機構（図示なし）により、全体に上方向に可動して前面吸込口１２と吹出口１３を開放する。上面吸込口１１と開放された前面吸込口１２から空気を吸い込み、吸い込まれた空気は熱交換器で熱交換され上風向板２２と下風向板２３で制御され、吹出口１３から室内空間に吹き出される。
【００１９】
下風向板２３は暗色の樹脂材料で成型されている。また表示部３０の表面を構成する表示パネル３１は、透過性を有する下風向板２３と同じ暗色の樹脂材料で成型されている。よって、運転停止時は下風向板２３と表示パネル３１が一体の黒い帯に見え、暗色による陰の効果により室内機１の奥行きをより薄く見せるとともに、表示部３０の存在が目立たないようにデザインされている。
【００２０】
表示部３０は図３に示すように、表示パネル３１と、表示パネル３１の裏面に当接し、図５（ｂ）に示すピクトグラムを拡散印刷し、同拡散印刷の周囲を光が透過しないように暗色にて印刷を行った透過性を有する表示板３２と、ＬＥＤ３３を備えた表示基板３４と、表示基板３４の支持部とＬＥＤ３３の光を表示板に導く導光部３５aを備えた表示基板ケース３５と、表示基板ケース３５を前面パネル２０に取り付ける表示基板ケース取付具３６とから構成される。
ＬＥＤ３３は図５の運転／停止ピクトグラムａに対応するＬＥＤ３３ａは緑色、タイマー運転ｂに対応するＬＥＤ３３ｂはオレンジ色、エコノミー運転ｃに対応するＬＥＤ３３ｃは緑色を発光する。
【００２１】
この構成により、運転状態に合わせＬＥＤ３３から発光された光は表示基板ケース３５の導光部３５aを通り、表示板３２のピクトグラムa〜ｃの拡散印刷で拡散されて表示パネル３１から室内空間に発光される。また、表示板３２の暗色印刷部に至った光は遮られるため、ピクトグラムa〜ｃはくっきりとした表示となる。
【００２２】
さて、図４は空気調和機の室内機１と室内空間Ａと使用者Ｈとの関係を説明する図であり、天井Ｂの高さＸを日本の家屋では標準的な２４０ｃｍとし、床の奥行きＷを８畳間の平均３６０ｃｍで表わしている。室内機１は天井Ｂの近傍の壁面に取り付けられる。室内機１の高さは約２５〜３０ｃｍであり床面Ｃから表示パネル３１までの高さＹはおおよそ２００ｃｍとなる。人の身長は男性１７０ｃｍ、女性で１５８ｃｍが平均であり、立った状態の目線Ｚは約１４０ｃｍ〜１６０ｃｍとなる。また、椅子に座った状態の目線は約１１０ｃｍ〜１２０ｃｍとなる。室内機の表示パネル３１は、必ず下から見上げて視認するものとなる。
Ｈ１の使用者は室内機のほぼ直下に立って表示パネル３１を見た場合であるが、室内機、の下には家具が置かれることが多く、また、空気調和機はリモコンで操作するため、Ｈ１の位置で室内機を見ることはあまりない。
使用者は移動時に運転操作を行うことが多く、その場合は、Ｈ２の使用者のように立ったままリモコンを操作しながら斜め下方から表示パネル３１を見ることになる。また、Ｈ３のように座りながら操作した場合でも、やはり表示パネル３１は斜め下方から見上げることになる。
【００２３】
図７（ａ）〜（ｃ）は図５（ａ）に示すピクトグラムを採用した室内機を、図４の使用者Ｈ１〜Ｈ３が見上げた状態の表示パネル３１を示すものであり、Ｈ１から表示パネル３１を見上げると、図７（ａ）のようにピクトグラムは標準の形状に視認できる。Ｈ２は表示パネル３１から約４５度の角度をつけて見上げた場合であるが、図７（ｂ）のようにピクトグラムは少しつぶれて見える。Ｈ３は表示パネル３１から約６０度の角度をつけて見上げた場合であるが、図７（ｃ）のようにピクトグラムはつぶれてしまい運転状態の判別がしづらくなり、使用者はＨ１、Ｈ２の位置まで移動して見るようになる。
【００２４】
そこで、ピクトグラムを図５（ｂ）に示すように、縦寸法を１３０％拡大して印刷した。これによりピクトグラムを斜めの位置から見た時に、標準の形状に見せることができる。なお、拡大比率は１１５％〜１３０％がよく、１３０％以上拡大すると、どの位置から見てもピクトグラムとして判別しづらくなる。
【００２５】
拡大する際は、図６（ａ）に示すように、縦寸法を拡大して線の幅を縦横一定にすると細く見せてしまうので、図６（ｂ）のように線の幅の縦寸法も拡大に合わせ変化させることで、意図する形状に見せることができる。
【００２６】
ピクトグラムの高さを拡大することにより、Ｈ１から表示パネル１を見上げると、図７（ｄ）では若干縦長に見えるが、Ｈ２やＨ３から見上げた場合はつぶれることなく正常の形状に見えてピクトグラムがしっかりと判別でき正しい運転状態を知ることができる。
これにより、室内空間のいずれの位置からもすっきりと視認しやすい表示を得ることができる。
【実施例２】
【００２７】
また、実施例１ではピクトグラムについて説明したが、ピクトグラムに限らず、抜き文字を透過して発光表示させる場合でも、図８（ａ）、（ｂ）の文字表示を図８（ｃ）に示すように縦方向を拡大することで、図８（ｄ）のように図４のＨ２の使用者が見上げた場合に文字表示がつぶれることなく見せることができ、正しい運転状態を伝えることができる。
【実施例３】
【００２８】
また、実施例１では表示パネル３１の裏面にピクトグラムを拡散印刷した表示板３２を当接したが、これに限らず、ピクトグラムを拡散印刷し、同拡散印刷の周囲を光が透過しないように暗色にて印刷を行ったシートを表示パネル３１とともにインモールド成形してもよく、この場合は表示パネル３１を暗色の樹脂材料で成型しなくてもよい。
【実施例４】
【００２９】
また、実施例１および実施例２ではピクトグラムや文字表示の縦寸法を拡大して見やすくしたが、それを補うために、図９に示すように、当接されるピクトグラムや文字表示の位置に合わせ、表示パネル３１の裏面に使用者の側に向けて傾斜させた傾斜部３７を設ける。この場合、表示板３２は印刷シートに限らず印刷３８として裏からのインモールド成形でもよいし、凹部にも印刷できる印刷方法でも良い。
表示部分を表示パネル３１の表面よりも角度を持たせることで、より表示の視認性が向上する。
特に、表示パネル３１の厚みで下側（奥側）が暗くなっていたが、傾斜部３７に角部３７ａを付けることで、拡散されたＬＥＤ３３の光がこの角部３７ａに集まる。これにより表示全体がより明るく光り、さらに視認性を向上させることができる。
【符号の説明】
【００３０】
１：室内機、１１：上面吸込口、１２：前面吸込口、１３：吹出口、１４：ケーシング
２０：前面パネル、２１：開閉パネル、２２：上風向板、２３：下風向板
３０：表示部、３１表示パネル、３２：表示板、３３：ＬＥＤ、３４：表示基板、３５：表示基板ケース
ａ：運転／停止ピクトグラム、ｂ：タイマーピクトグラム、ｃ：エコノミーピクトグラム
【図１】
2012083018.tif 000003
【図２】
2012083018.tif 000004
【図３】
2012083018.tif 000005
【図４】
2012083018.tif 000006
【図５】
2012083018.tif 000007
【図６】
2012083018.tif 000008
【図７】
2012083018.tif 000009
【図８】
2012083018.tif 000010
【図９】
2012083018.tif 000011